(57)【要約】【課題】  小型かつ安価で量産性に優れた、受信信号の到来方向推定可能な複数モード通信機を実現することを目的とする。【解決手段】  アンテナ放射パターンを切り替えて受信信号を出力する受信アンテナ切り替えスイッチ１０９と、前記受信信号の受信電力レベルを検出するレベル検出部１１６と、受信アンテナ切り替えスイッチ１０９にて前記アンテナ放射パターンを切り替えることによりレベル検出部１１６にて検出された少なくとも２つ以上の受信電力レベルを比較してその差を算出する比較部１２０と、比較部１２０にて算出した受信電力レベルの差を用いて到来電波の到来方向を推定するアンテナ判定部１２２と、を備えた構成により、電波の到来方向の推定をすることが可能な高性能な通信機を実現できる。【選択図】  図１
2005065010.tif 000002
【特許請求の範囲】
【請求項１】
アンテナ放射パターンを切り替えて受信信号を出力するアンテナ放射パターン切り替え手段と、前記受信信号の受信電力レベルを検出する受信電力レベル検出手段と、前記アンテナ放射パターン切り替え手段にて前記アンテナ放射パターンを切り替えることにより前記受信電力レベル検出手段にて検出された少なくとも２つ以上の受信電力レベルを比較してその差を算出する比較手段と、前記比較手段にて算出した受信電力レベルの差を用いて到来電波の到来方向を推定する方向推定手段と、を備えたことを特徴とする複数モード通信機。
【請求項２】
更に、到来電波を受信し且つおのおの異なる放射パターンを有する複数のアンテナと、を有し、アンテナ放射パターン切り替え手段は、前記複数のアンテナとの接続を切り替えることでアンテナ放射パターンを切り替えることを特徴とする請求項１記載の複数モード通信機。
【請求項３】
更に、到来電波を受信し且つ複数の放射パターンを有するアンテナと、を有し、アンテナ放射パターン切り替え手段は、前記アンテナの有する複数の放射パターンを切り替えることでアンテナ放射パターンを切り替えることを特徴とする請求項１記載の複数モード通信機。
【請求項４】
同一の送信機からアンテナ放射パターンを切り替えて送信された少なくとも２つの送信電波の各々に対応する受信信号の受信電力レベルを検出する受信電力レベル検出手段と、前記受信電力レベル検出手段にて検出された少なくとも２つの受信電力レベルを比較してその差を算出する比較手段と、前記比較手段にて算出した受信電力レベルの差を用いて到来電波の到来方向を推定する方向推定手段と、前記到来方向を前記送信機へ伝達する伝達手段と、を備えたことを特徴とする複数モード通信機。
【請求項５】
更に、方向推定手段によって推定された到来電波の到来方向を用いて、前記到来方向に対するアンテナ利得を推定するアンテナ利得推定手段と、を有することを特徴とする請求項１から４のいずれか記載の複数モード通信機。
【請求項６】
アンテナ放射パターンを切り替えて少なくとも２つの送信電波を送信する送信手段と、伝達されてきた到来方向情報を用いて最適なアンテナ放射パターンを選択するアンテナ放射パターン切り替え手段と、を有し、前記到来方向情報は、前記送信手段が送信した前記少なくとも２つの送信電波を用いて受信機側で推定されたものであることを特徴とする複数モード通信機。
【請求項７】
更に、おのおの異なる放射パターンを有し且つ送信電波を送信する複数のアンテナと、を有し、アンテナ放射パターン切り替え手段は、前記複数のアンテナとの接続を切り替えて最適なアンテナ放射パターンを選択することを特徴とする請求項６記載の複数モード通信機。
【請求項８】
更に、複数の放射パターンを有し且つ送信電波を送信するアンテナと、を有し、アンテナ放射パターン切り替え手段は、前記アンテナの有する複数の放射パターンを切り替えて最適なアンテナ放射パターンを選択することを特徴とする請求項６記載の複数モード通信機。
【請求項９】
通信に用いる搬送波は少なくとも２つの周波数帯の信号が用いられ、アンテナ放射パターンは、搬送波周波数毎に異なることを特徴とする請求項１から８のいずれか記載の複数モード通信機。
【請求項１０】
アンテナ放射パターンを切り替えて少なくとも２つの送信電波を送信する送信手段、複数のアンテナ放射パターンから１つを選択するアンテナ放射パターン切り替え手段、を有する第１の通信機と、前記第１の通信機の送信手段からアンテナ放射パターンを切り替えて送信された少なくとも２つの送信電波に各々対応する受信信号の受信電力レベルを検出する受信電力レベル検出手段、前記受信電力レベル検出手段にて検出された少なくとも２つの受信電力レベルを比較してその差を算出する比較手段、前記比較手段にて算出した受信電力レベルの差を用いて前記第１の通信機から送信された送信電波の到来方向を推定する方向推定手段、前記到来方向を前記第１の通信機へ伝達する伝達手段、を有する第２の通信機と、を用いて構成される無線システムであって、前記第１の通信機のアンテナ放射パターン切り替え手段は、前記前記第２の通信機の伝達手段から伝達されてきた前記到来方向の情報の情報を用いてアンテナ放射パターンを選択することを特徴とする無線システム。
【請求項１１】
更に、第１の通信機は、おのおの異なる放射パターンを有し且つ送信電波を送信する複数のアンテナ、を有し、アンテナ放射パターン切り替え手段は、前記複数のアンテナとの接続を切り替えてアンテナ放射パターンを選択することを特徴とする請求項１０記載の無線システム。
【請求項１２】
更に、第１の通信機は、複数の放射パターンを有し且つ送信電波を送信するアンテナ、を有し、アンテナ放射パターン切り替え手段は、前記アンテナの有する複数の放射パターンを切り替えてアンテナ放射パターンを選択することを特徴とする請求項１０記載の無線システム。
【請求項１３】
更に、第２の通信機は、方向推定手段によって推定された到来電波の到来方向を用いて、前記到来方向に対するアンテナ利得を推定するアンテナ利得推定手段、を有することを特徴とする請求項１０から１２のいずれか記載の無線システム。
【請求項１４】
通信に用いる搬送波は、少なくとも２つの周波数帯の信号が用いられ、アンテナ放射パターンは、搬送波周波数毎に異なることを特徴とする請求項１０から１３のいずれか記載の無線システム。
【発明の詳細な説明】
【技術分野】
【０００１】
本発明は主として、マイクロ波帯からミリ波帯の信号を搬送波に用いて通信を行う通信器において、複数の放射パターンのアンテナを切り替えて信号を受信することによって、信号の到来方向を推定する複数モード通信機及び無線システムに関する。
【背景技術】
【０００２】
近年の携帯電話の急速な普及に加えて、ホットスポットと呼ばれる屋内外の人が集まる場所での無線ＬＡＮアクセスサービスも急速な広がりが予想されており、周波数資源を有効に利用していく技術の確立が急務となっている。その一つとして、任意の方向にアンテナの放射パターンを向けるアダプティブアレーアンテナ（ＡＡＡ：Ａｄａｐｔｉｖｅ  Ａｒｒａｙ  Ａｎｔｅｎｎａ）技術がある。ＡＡＡを有効に働かせるためには、通信相手の方向を正確に調べる方向推定技術が必須である（例えば、特許文献１参照。）。
【０００３】
図６に、従来の方向推定の例として電波方向探知装置の構成を示す。この電波方向探知装置は、受信用アンテナ６０１ａ〜６０１ｃを介して測定電波６０３を受信し受信信号として出力する複数の受信部６０２ａ〜６０２ｃと、各受信用アンテナに対して基準方向に配設され、規定電界レベルの校正電波６２０を出力する校正用アンテナ６１７と、各受信部から出力された受信信号相互間の位相差を一定周期で順次検出していく位相差検出手段６２４、検出された位相差から電波の到来方向を算出する到来方向算出手段６２９、校正位相差Θ１〜Θ３を記憶保持する位相差メモリ６２６等からなる方向測定処理部６１９と、を有し、方向測定処理部６１９において、受信信号の信号レベルが規定レベルのとき受信した電波を校正電波とみなして、信号レベルが所定レベルを上回るとき、到来方向算出手段６２９で、算出された測定電波の到来方向ａを、記憶された校正位相差Θ１〜Θ３で補正する。
【特許文献１】特開平１０−１７０６２１号公報
【発明の開示】
【発明が解決しようとする課題】
【０００４】
しかしながら複数のアンテナで受信した信号の位相差を比較する従来の方向推定方法では、アンテナ間隔を受信信号の位相が比較可能な距離に離す必要があるため機器が大型化するとともに、アンテナ間隔が離れているため、各アンテナに夫々無線部を備えることが必要となり、無調整で位相比較回路までの位相が等しい無線部を複数製造することが困難であるという問題を有していた。前述の従来の方向推定の例では、校正用の信号源６１８を別途設置することで無線部の位相を補正する試みがなされているが、通信機を移動する度に校正用信号源と自局の位置関係を正確に測定することが必要であるため実現は困難である。
【０００５】
本発明は、複数のアンテナ放射パターンで受信した信号の受信電力レベルをもとに方向推定を行うことによって、無線部を共通化することが可能となり、小型かつ安価で量産性に優れた、受信信号の到来方向推定可能な複数モード通信機を実現することを目的とする。
【課題を解決するための手段】
【０００６】
この課題を解決するために本発明は、異なるアンテナ放射パターンを切り替えて到来した信号を受信し、受信電力レベルの差と既知のアンテナ放射パターンを比較することで受信信号の到来方向を推定する複数モード通信機と無線システムを構成したものである。
【０００７】
これにより、小型かつ安価な機器構成で受信信号の到来方向を推定することが可能となり、通信相手の方向に自局のアンテナ指向を向けることで、送信出力・消費電力を低減することができ、同一システム内の通信機間の干渉及び他の無線システムや電気・電子機器への干渉が少なく、また逆に干渉されにくい狭域通信が可能な無線システムを実現できる。
【発明の効果】
【０００８】
以上のように本発明によれば、同一システム内の通信機間の干渉及び他の無線システムや電気・電子機器への干渉が少なく、また逆に干渉されにくい狭域通信が可能な無線システムを、異なる複数のアンテナ放射パターンを切り替えて、受信信号の到来方向を推定し、アンテナ放射パターンを到来方向に向けることによって実現できるという有利な効果が得られる。
【発明を実施するための最良の形態】
【０００９】
本発明は、アンテナ放射パターンを切り替えて受信信号を出力するアンテナ放射パターン切り替え手段と、前記受信信号の受信電力レベルを検出する受信電力レベル検出手段と、前記アンテナ放射パターン切り替え手段にて前記アンテナ放射パターンを切り替えることにより前記受信電力レベル検出手段にて検出された少なくとも２つ以上の受信電力レベルを比較してその差を算出する比較手段と、前記比較手段にて算出した受信電力レベルの差を用いて到来電波の到来方向を推定する方向推定手段と、を備えたことを特徴とする複数モード通信機であり、異なるアンテナ放射パターンを切り替えて、受信信号の電力レベルを比較することにより、受信された信号の到来方向を推定することが可能な高性能な機器を小型で安価に実現できる。
【００１０】
更に、到来電波を受信し且つおのおの異なる放射パターンを有する複数のアンテナと、を有し、アンテナ放射パターン切り替え手段は、前記複数のアンテナとの接続を切り替えることでアンテナ放射パターンを切り替えるのが、好適である。
【００１１】
あるいは、更に、到来電波を受信し且つ複数の放射パターンを有するアンテナと、を有し、アンテナ放射パターン切り替え手段は、前記アンテナの有する複数の放射パターンを切り替えることでアンテナ放射パターンを切り替えるのが、好適である。
【００１２】
また、本発明は、同一の送信機からアンテナ放射パターンを切り替えて送信された少なくとも２つの送信電波に各々対応する受信信号の受信電力レベルを検出する受信電力レベル検出手段と、前記受信電力レベル検出手段にて検出された少なくとも２つの受信電力レベルを比較してその差を算出する比較手段と、前記比較手段にて算出した受信電力レベルの差を用いて到来電波の到来方向を推定する方向推定手段と、前記到来方向を前記送信機へ伝達する伝達手段と、を備えたことを特徴とする複数モード通信機であり、異なるアンテナ放射パターンを切り替えて送信された送信電波に各々対応する受信信号の電力レベルを比較することにより、受信された信号の到来方向を推定することが可能な高性能な機器を小型で安価に実現できる。
【００１３】
更に、方向推定手段によって推定された到来電波の到来方向を用いて、前記到来方向に対するアンテナ利得を推定するアンテナ利得推定手段と、を有することを特徴とする複数モード通信機としても良い。
【００１４】
また、本発明は、アンテナ放射パターンを切り替えて少なくとも２つの送信電波を送信する送信手段と、伝達されてきた到来方向情報を用いて最適なアンテナ放射パターンを選択するアンテナ放射パターン切り替え手段と、を有し、前記到来方向情報は、前記送信手
段が送信した前記少なくとも２つの送信電波を用いて受信機側で推定されたものであることを特徴とする複数モード通信機であり、異なるアンテナ放射パターンを切り替えて送信した送信電波を用いて受信機側で推定された方向に、アンテナ放射パターンを切り替えて送信することが可能となり、高性能な通信機を小型で安価に実現できる。
【００１５】
更に、おのおの異なる放射パターンを有し且つ送信電波を送信する複数のアンテナと、を有し、アンテナ放射パターン切り替え手段は、前記複数のアンテナとの接続を切り替えて最適なアンテナ放射パターンを選択するのが、好適である。
【００１６】
あるいは、更に、複数の放射パターンを有し且つ送信電波を送信するアンテナと、を有し、アンテナ放射パターン切り替え手段は、前記アンテナの有する複数の放射パターンを切り替えて最適なアンテナ放射パターンを選択するのが、好適である。
【００１７】
また、通信に用いる搬送波は少なくとも２つの周波数帯の信号が用いられ、アンテナ放射パターンは、搬送波周波数毎に異なることを特徴とする複数モード通信機としても良い。
【００１８】
また、本発明は、アンテナ放射パターンを切り替えて少なくとも２つの送信電波を送信する送信手段、複数のアンテナ放射パターンから１つを選択するアンテナ放射パターン切り替え手段、を有する第１の通信機と、前記第１の通信機の送信手段からアンテナ放射パターンを切り替えて送信された少なくとも２つの送信電波に各々対応する受信信号の受信電力レベルを検出する受信電力レベル検出手段、前記受信電力レベル検出手段にて検出された少なくとも２つの受信電力レベルを比較してその差を算出する比較手段、前記比較手段にて算出した受信電力レベルの差を用いて前記第１の通信機から送信された送信電波の到来方向を推定する方向推定手段、前記到来方向を前記第１の通信機へ伝達する伝達手段、を有する第２の通信機と、を用いて構成される無線システムであって、前記第１の通信機のアンテナ放射パターン切り替え手段は、前記前記第２の通信機の伝達手段から伝達されてきた前記到来方向の情報の情報を用いてアンテナ放射パターンを選択することを特徴とする無線システムであり、第１の通信機のアンテナ放射パターンを切り替えて送信した信号を、第２の通信機で受信して、夫々のアンテナ放射パターンでの信号の電力レベルを比較することにより、第２の通信機が、自局の第１の通信機に対しする方向を推定することが可能な高性能な無線システムを安価に実現できる。
【００１９】
更に、第１の通信機は、おのおの異なる放射パターンを有し且つ送信電波を送信する複数のアンテナ、を有し、アンテナ放射パターン切り替え手段は、前記複数のアンテナとの接続を切り替えてアンテナ放射パターンを選択するのが、好適である。
【００２０】
あるいは、更に、第１の通信機は、複数の放射パターンを有し且つ送信電波を送信するアンテナ、を有し、アンテナ放射パターン切り替え手段は、前記アンテナの有する複数の放射パターンを切り替えてアンテナ放射パターンを選択するのが、好適である。
【００２１】
また、更に、第２の通信機は、方向推定手段によって推定された到来電波の到来方向を用いて、前記到来方向に対するアンテナ利得を推定するアンテナ利得推定手段、を有することを特徴とする無線システムとしても良い。
【００２２】
また、通信に用いる搬送波は、少なくとも２つの周波数帯の信号が用いられ、アンテナ放射パターンは、搬送波周波数毎に異なることを特徴とする無線システムとしても良い。
【００２３】
なお、少なくとも２つ以上の周波数帯の信号を搬送波に用い、搬送波周波数毎に異なるアンテナ放射パターンを用いる複数モード通信機及び無線システムの場合は、通信相手の
方向又は通信相手にとっての自局の方向を推定すると共に、２つ以上の搬送波周波数を切り替えて通信が可能な高性能な機器及び無線システムを安価に実現できる。
【００２４】
また、前記信号の周波数帯として夫々２０ＧＨｚ〜７０ＧＨｚの周波数帯と、６ＧＨｚ以下の周波数帯を少なくとも１つ以上用いた複数モード通信機または無線システムとすれば、２つ以上の周波数帯域の離れた搬送波周波数を用い、異なる伝搬特性を有する搬送波を使い分けて、安価に高性能な機器及び無線システムを実現できる。
【００２５】
特に、前記信号の周波数として２４．７５ＧＨｚ〜２５．２５ＧＨｚ及び２６．７５〜２７．２５ＧＨｚのいずれかを用いれば、電子部品が安価な約２５ＧＨｚを搬送波周波数に選択することで、安価に高性能な機器及び無線システムを実現できる。
【００２６】
また、少なくとも２台の前記複数モード通信機によって無線システムを構成すれば、夫々の通信機が、通信相手の方向を推定することが可能な高性能な無線システムを実現できる。
【００２７】
以下、本発明の実施の形態について、図１〜図５を用いて説明する。
【００２８】
（実施の形態１）
図１に本発明の複数モード通信機のブロック図、図２にアンテナ放射パターンを切り替えて測定した受信電力レベルより通信相手の方向を推定する方法を示す。
【００２９】
まず、複数モード通信機の動作を簡単に説明する。送信時には、端末１０１より入力されたデータは、アクセス制御を行う処理部１０２にて通信用の信号列（送信データ）に整えられ、変復調部１０３に送られる。変復調部１０３でＩＦ信号として変調されて無線部１１０に入力され、送信ミキサ１０４でＬＯモジュール１１５の出力と混合して搬送波周波数に変換され、送信バンドパスフィルタ（ＢＰＦ）１０６を通過して送信アンプ１０５にて増幅された後、送信ローパスフィルタ（ＬＰＦ）１０８を通過させることで、スプリアス抑圧及びレベル調整されて、送信アンテナ切替スイッチ１０７を介して送信アンテナ１１１ａまたは１１１ｂより送信される。
【００３０】
受信時は、受信アンテナ１２３ａまたは１２３ｂで受信された受信信号が、受信アンテナ切り替えスイッチ１０９を通って、受信低雑音アンプ１１２にて低雑音増幅され、受信バンドパスフィルタ（ＢＰＦ）１１３を通過した後、受信ミキサ１１４でＩＦ信号にダウンコンバートされる。
【００３１】
受信ＩＦ信号は変復調部１０３で受信データに復調され、処理部１０２にて端末１０１で処理可能な信号に変換され、端末１０１に情報が伝わる。この際、変復調部１０３で受信ＩＦ信号をレベル検出部１１６に入力することで受信電力レベルを電圧として検出し、Ａ／Ｄ変換部１１７でＡ／Ｄ変換して処理部１０２に引き渡される。
【００３２】
電圧値として検出された受信電力レベルは、変換テーブル１１８ａで電力値に変換され、データ保存部１１９に保存される。同様にして受信アンテナを切り替えて再度電力値を検出し、比較部１２０にて異なるアンテナで受信した電力の差を計算する。
【００３３】
こうして求められた電力差とアンテナ放射パターンを変換テーブル１２１にて照らし合わせることで受信信号の到来方向及び、到来方向に対するアンテナ利得を推定し、アンテナ判定部１２２にて必要に応じて送信アンテナ切り替え指令を出して、信号の到来方向にアンテナ放射パターンを向ける。なお、レベル検出部１１６としてＡＧＣアンプを用い、そのＲＳＳＩ出力を用いてもよい。
【００３４】
また、以上の説明では変復調部１０３にて受信電力レベルの検出を行う例で説明したが、例えば受信ミキサ１１４で周波数変換する前の信号や、周波数変換した後のＩＦ信号を検波することで受信電力レベルを検出するように構成してもよい。
【００３５】
図２を用いて通信相手の方向を推定する方法について詳細に述べる。送信源２０１から送信された搬送波は、伝搬路２０６ａ、ｂを通って第１のアンテナ２０２及び第２のアンテナ２０３で受信される。この際に送信源２０１と第１のアンテナ２０２及び第２のアンテナ２０３が十分に離れていれば、伝搬路２０６ａと伝搬路２０６ｂは等しいとみなすことができ、受信電力レベルの差はアンテナ利得差となる。第１のアンテナの放射パターン２０４と第２のアンテナの放射パターン２０５は既知であるので、夫々のアンテナパターンがＥ面とＨ面で等しく、かつＥ面とＨ面で左右対称であるなら、受信アンテナに対する伝搬路２０６の入射角度は一意に決まる。
【００３６】
なお、以上の構成では２つのアンテナを切り替えて動作させる例について述べたが、３つ以上のアンテナを切り替えて動作させることによって、方向推定の精度を向上させるように構成してもよい。
【００３７】
以上の構成にて、放射パターンの異なるアンテナを切り替えて受信電力を測定し、受信電力の差とアンテナ放射パターンを比較することにより電波の到来方向の推定をすることが可能な高性能な通信機を実現できる。
【００３８】
なお、以上の構成では異なる放射パターンのアンテナを切り替えて動作させる例について述べたが、図３に示すように、放射パターン切り替え回路３０１を備えたアンテナ３０２を用いて、アンテナの放射パターンを切り替えて動作させても同様に実施可能である。
【００３９】
（実施の形態２）
図４に本発明の複数モード通信機を用いた無線システムの概略システム図を示す。前述の実施の形態１と異なるのは、送信側でアンテナを切り替え、受信側で方向推定を行っている点である。
【００４０】
第１の通信機４０１は、アンテナ放射パターンの異なる第１のアンテナ２０２と第２のアンテナ２０３を切り替えて送信信号を発射する。第２の通信機４０２は第３のアンテナ４０４を用いて信号を受信し、受信電力の差と第１のアンテナ２０２と第２のアンテナ２０３のアンテナ放射パターンより、第２の通信機４０２の第１の通信機４０１に対する方向を推定する。推定された方向は第２の通信機４０２から第１の通信機４０１に伝えられ、第１の通信機はセクター切り替えスイッチ４０７により送信アンテナのセクターを切り替え、条件のよい第５のアンテナ４０９を用いて通信を行う。
【００４１】
以上の構成にて、送信側の通信機で放射パターンの異なるアンテナを切り替えて送信した信号を、受信側の通信機で受信電力を測定し、受信電力の差とアンテナ放射パターンを比較することにより、送信側の通信機に対する受信機側の通信機の方向の推定をすることが可能な、高性能な無線システムを実現できる。
【００４２】
なお、以上の説明では２つの放射パターンの異なるアンテナを切り替えて動作させた例を示したが、放射パターン切り替え回路を備えたアンテナを用い、放射パターンを切り替えて電力を測定するように構成しても同様に実施可能である。
【００４３】
なお、以上の実施の形態１及び実施の形態２で、２つ以上の搬送波周波数を用いて、搬送波周波数ごとに異なる放射パターンのアンテナを用いるように構成しても同様に実施可
能である。この場合、同一の搬送波周波数のアンテナを複数用いる場合と比べ、一方の搬送波に高い周波数を用いることでアンテナの小型化を図ることが可能で、更に異なる伝搬特性を有する搬送波を用いて通信を行うことが可能となるため、広い通信エリアが実現できるという新たな効果が得られる。搬送波周波数としては、例えば２．４ＧＨｚ帯及び５ＧＨｚ帯、約２５ＧＨｚ帯、約２７ＧＨｚ帯、約３８ＧＨｚ帯、約６０ＧＨｚ帯がある。
【００４４】
なお、以上の実施の形態１及び実施の形態２では、受信電力レベルをもとに方向を推定する例について述べたが、処理部にてビットエラーレート（ＢＥＲ）又はパケットエラーレート（ＰＥＲ）を測定し、これとアンテナパターンとの相関にもとづいて通信相手の方向を推定してもよい。
【００４５】
（実施の形態３）
図５に本発明の複数モード通信機を用いた無線システムの運用例を示す。図５は、室内にて、天井５０１に有線網５０２と接続されている基地局５０３及びアンテナ５０４を設置し、フロア内に端末局５０５ａ、５０５ｂを任意の場所にて使用している２人の利用者５０６ａ、ｂがいる例である。
【００４６】
実施の形態１又は実施の形態２の方法にて端末局５０５ａ、５０５ｂは基地局５０３の方向を推定しており、端末局５０５ａはアンテナ放射パターンを広い放射パターンから鋭い放射パターンに切り替えている。また、端末局５０５ｂは、例えばセクター切り替えのような方法でアンテナ放射パターンを基地局に向けている。
【００４７】
以上の構成により、通信相手の方向に自局のアンテナ指向を向けることで、送信出力・消費電力を低減することができ、同一システム内の通信機間の干渉及び他の無線システムや電気・電子機器への干渉が少なく、また逆に干渉されにくい狭域通信が可能な無線システムを実現できる。
【産業上の利用可能性】
【００４８】
本発明にかかる複数モード通信機は、同一システム内の通信機間の干渉及び他の無線システムや電気・電子機器への干渉が少なく、また逆に干渉されにくい狭域通信が可能な無線システムを、異なる複数のアンテナ放射パターンを切り替えて、受信信号の到来方向を推定し、アンテナ放射パターンを到来方向に向けることによって実現できるという有利な効果を有し、マイクロ波帯からミリ波帯の信号を搬送波に用いて通信を行う通信器、例えば複数モード通信機及び無線システム等に適用できる。
【図面の簡単な説明】
【００４９】
【図１】本発明の一実施の形態による複数モード通信機のブロック図
【図２】本発明の一実施の形態によるアンテナパターン切り替えイメージ図
【図３】本発明の一実施の形態によるアンテナパターン切り替えイメージ図
【図４】本発明の一実施の形態による無線システムの概略システム図
【図５】本発明の一実施の形態による無線システムの運用イメージ図
【図６】従来の無線機のブロック図
【符号の説明】
【００５０】
１０１  端末
１０２  処理部
１０３  変復調部
１０４  送信ミキサ
１０５  送信アンプ
１０６  送信ＢＰＦ
１０７  送信アンテナ切り替えスイッチ
１０８  送信ＬＰＦ
１０９  受信アンテナ切り替えスイッチ
１１０  無線部
１１１ａ、１１１ｂ  送信アンテナ
１１２  受信低雑音アンプ
１１３  受信ＢＰＦ
１１４  受信ミキサ
１１５  ＬＯモジュール
１１６  レベル検出部
１１７  Ａ／Ｄ変換部
１１８  変換テーブル
１１９  データ保存部
１２０  比較部
１２１  変換テーブル
１２２  アンテナ判定部
１２３ａ、１２３ｂ  受信アンテナ
２０１  送信源
２０２  第１のアンテナ
２０３  第２のアンテナ
２０４  第１のアンテナの放射パターン
２０５  第２のアンテナの放射パターン
２０６ａ、２０６ｂ  伝搬路
３０１  放射パターン切り替え回路
３０２  アンテナ
４０１  第１の通信機
４０２  第２の通信機
４０４  第３のアンテナ
４０５  無線部
４０６  無線部
４０７  セクター切り替えスイッチ
４０８  第４のアンテナ
４０９  第５のアンテナ
５０１  天井
５０２  有線網
５０３  基地局
５０４  アンテナ
５０５ａ、５０５ｂ  端末局
５０６ａ、５０６ｂ  利用者
【図１】
2005065010.tif 000003
【図２】
2005065010.tif 000004
【図３】
2005065010.tif 000005
【図４】
2005065010.tif 000006
【図５】
2005065010.tif 000007
【図６】
2005065010.tif 000008